(57)【特許請求の範囲】
【請求項１】
複数の無線デバイス（１１０）からの送信のための変調フォーマットを設定するためにネットワークノード（１１５）によって実施される方法（２０００）であって、前記ネットワークノード（１１５）は離散フーリエ変換拡散−直交周波数分割多重（ＤＦＴＳ−ＯＦＤＭ）およびＯＦＤＭの両方の変調フォーマットをサポートし、
１つまたは複数の無線デバイスからのランダムアクセスメッセージ３送信のための変調フォーマットを設定するために、標示を前記複数の無線デバイスのうちの１つまたは複数に送信すること（２０２０）を含み、前記設定されるべき変調フォーマットが、離散フーリエ変換拡散−直交周波数分割多重（ＤＦＴＳ−ＯＦＤＭ）であり、前記標示を送信することが、ブロードキャストチャネルシステム情報ブロック（ＳＩＢ）内での標示を含む、方法（２０００）。
【請求項２】
前記標示を送信することが、
前記ネットワークノードの能力、
前記無線デバイスのためのリンクバジェット、
前記無線デバイスによって送信されるべき送信のオーバーヘッド、
前記無線デバイスの決定された電力レベルおよび／または信号対雑音比（ＳＮＲ）、ならびに
ランダムアクセスプリアンブル検出基準
のうちの１つまたは複数に基づく、請求項１に記載の方法。
【請求項３】
設定された変調フォーマットに従って前記無線デバイスから送信を受信すること（２０３０）をさらに含む、請求項１または２に記載の方法。
【請求項４】
前記受信した送信が、ランダムアクセス応答メッセージ内に含まれるアップリンクスケジューリンググラントに応答するものである、請求項３に記載の方法。
【請求項５】
前記標示が、さらに送信層の数を設定するために使用される、請求項１から４のいずれか一項に記載の方法。
【請求項６】
無線デバイス（１１０）によって実施される方法（２１００）であって、
前記ネットワークノードから、前記ネットワークノードへのランダムアクセスメッセージ３送信のための変調フォーマットを設定するための標示を受信すること（２１２０）であって、前記標示された変調フォーマットが、離散フーリエ変換拡散−直交周波数分割多重（ＤＦＴＳ−ＯＦＤＭ）であり、前記標示が、ブロードキャストチャネルシステム情報ブロック（ＳＩＢ）内での標示を含む、受信すること（２１２０）と、
前記設定された変調フォーマットに従って前記ランダムアクセスメッセージ３を送信すること（２１３０）と、を含む、方法（２１００）。
【請求項７】
前記標示が、さらに送信層の数を設定するために使用される、請求項６に記載の方法。
【請求項８】
離散フーリエ変換拡散−直交周波数分割多重（ＤＦＴＳ−ＯＦＤＭ）およびＯＦＤＭの両方の変調フォーマットをサポートするように動作可能なネットワークノード（１１５）であって、１または複数の無線デバイスからのランダムアクセスメッセージ３送信のために使用されるべき変調フォーマットを設定するために、標示を前記１または複数の無線デバイスに送信するように設定され、前記変調フォーマットが、離散フーリエ変換拡散−直交周波数分割多重（ＤＦＴＳ−ＯＦＤＭ）であり、前記標示が、ブロードキャストチャネルシステム情報ブロック（ＳＩＢ）内での標示を含む、ネットワークノード（１１５）。
【請求項９】
前記ネットワークノードが、
前記ネットワークノードの能力、
前記無線デバイスのためのリンクバジェット、
前記無線デバイスによって送信されるべき送信のオーバーヘッド、
前記無線デバイスの決定された電力レベルおよび／または信号対雑音比（ＳＮＲ）、ならびに
ランダムアクセスプリアンブル検出基準
のうちの１つまたは複数に基づいて前記標示を送信するように構成されている、請求項８に記載のネットワークノード。
【請求項１０】
前記標示が、さらに送信層の数を設定するために使用される、請求項８または９に記載のネットワークノード。
【請求項１１】
設定された変調フォーマットに従って前記無線デバイスから送信を受信するようにさらに設定される、請求項８から１０のいずれか一項に記載のネットワークノード。
【請求項１２】
前記受信した送信が、ランダムアクセス応答メッセージ内に含まれるアップリンクスケジューリンググラントに応答するものである、請求項１１に記載のネットワークノード。
【請求項１３】
無線デバイス（１１０）であって、
ネットワークノードへのランダムアクセスメッセージ３送信のための変調フォーマットを設定するための標示を受信することであって、前記変調フォーマットが、離散フーリエ変換拡散−直交周波数分割多重（ＤＦＴＳ−ＯＦＤＭ）であり、前記標示が、ブロードキャストチャネルシステム情報ブロック（ＳＩＢ）内での標示を含む、受信することと、
前記設定された変調フォーマットに従って前記ランダムアクセスメッセージ３を送信することとを行うように設定される、無線デバイス（１１０）。
【請求項１４】
前記標示が、さらに送信層の数を設定するために使用される、請求項１３に記載の無線デバイス（１１０）。
【請求項１５】
コンピュータ上で実行されたとき請求項１から７の方法のうちのいずれか１つを実施する命令を含む、コンピュータプログラム。
【発明の詳細な説明】
【技術分野】
【０００１】
本開示は、概して、無線通信、およびより具体的には、ランダムアクセス応答手順に関する。
【背景技術】
【０００２】
ランダムアクセス手順は、セルラシステムにおける重要な機能である。図１は、ＬＴＥにおけるランダムアクセス手順を例証する。同様の構造が、５Ｇ  Ｎｅｗ  Ｒａｄｉｏ（ＮＲ）において使用されることが予期される。４Ｇ  ＬＴＥでは、ネットワークにアクセスすることを望むＵＥは、物理ランダムアクセスチャネル（ＰＲＡＣＨ）上のアップリンク内でプリアンブル（Ｍｓｇ１）３０を送信することによって、ランダムアクセス手順を開始する。プリアンブルを受信しランダムアクセス試行を検出する基地局は、物理ダウンリンク共有チャネル（ＰＤＳＣＨ）上でランダムアクセス応答（Ｍｓｇ２）４０を送信することによって、ダウンリンク内で応答する。ランダムアクセス応答は、端末識別のために物理アップリンク共有チャネル（ＰＵＳＣＨ）上でアップリンク内の後続のメッセージ（Ｍｓｇ３）５０を送信することによって、ＵＥが手順を継続するためのアップリンクスケジューリンググラントを伝達する。
【０００３】
ＬＴＥ内の４Ｇ無線アクセスは、ダウンリンク内のＯＦＤＭおよびアップリンク内のＤＦＴ拡散ＯＦＤＭ（ＤＦＴＳ−ＯＦＤＭ、別名ＳＣ−ＦＤＭＡ）に基づく（３ＧＰＰ  ＴＳ  ３６．２１１を参照されたい）。ＤＦＴ拡散ＯＦＤＭの例証は図２に示され、情報ビットは、誤り検出符号を計算するために使用され（巡回冗長検査（ＣＲＣ））、チャネル符号化され、レート整合され、ＱＰＳＫ、１６ＱＡＭ、または６４ＱＡＭなどの複素シンボルへと変調される。いくつかの制御エンティティに対応するシンボルおよびペイロードに対応するシンボルは、次いで多重化され、ＤＦＴによってプリコードされ（トランスフォームプリコーディング）、それが割り当てられる周波数間隔へとマップされ、時間領域へと変換され、サイクリックプレフィックスと連結され、最後に無線で送信される。前述のブロックのうちのいくつかの順序は変更されてもよい。例えば、変調は、多重化の前ではなく後に置かれてもよい。
【０００４】
ＤＦＴ、マッピング、ＩＦＦＴ、およびＣＰ挿入によって構築されるシンボルは、「３ＧＰＰ  ＴＳ  ３６．２１１，ｓｅｃｔｉｏｎ  ５．６」においてはＳＣ−ＦＤＭＡシンボルと表記される。ＬＴＥリリース８内では、ＴＴＩは、１４個のそのようなＣ−ＦＤＭＡシンボルによって構築される。
【０００５】
このＤＦＴ拡散ＯＦＤＭは、アップリンク内で使用される場合、ＯＦＤＭと比較して著しく低いピーク対平均電力比（ＰＡＰＲ）を有する。低ＰＡＰＲを有することにより、送信器は、より単純で低エネルギー消費の無線設備を備えることができ、これは、コストおよびバッテリ消費が重要な問題であるユーザデバイスにとっては重要である。また、ＵＥは、ＯＦＤＭと比較してＤＦＴＳ−ＯＦＤＭではより高い送信電力を使用することができる。将来の５Ｇシステムにおいて、低ＰＡＰＲを有するこの単一キャリア特性は、アップリンク内の電力制御されたＵＥのためだけでなく、ダウンリンクおよびデバイスツーデバイス送信のためにも重要であり得る。
【０００６】
ＬＴＥでは、メッセージ３は、ＤＦＴＳ−ＯＦＤＭに基づく。１４個のＤＦＴＳ−ＯＦＤＭシンボルを有する１つのサブフレームについての例証が図３に提供され、２つのＤＦＴＳ−ＯＦＤＭシンボルは、復調用参照信号のために使用される。
【０００７】
通常のＯＦＤＭの例証が図４に提供される。ここでは、図２のＤＦＴＳ−ＯＦＤＭと比較すると、マッピングの前のＤＦＴは削除される。参照信号など、各々が１４個のＯＦＤＭシンボルを有するいくつかのサブフレームの例証が図５に提供される。
【０００８】
５Ｇ  ＮＲ内では、アップリンクとダウンリンクとの間の無線インターフェースは整列されなければならない。１つの提案は、ダウンリンクおよびアップリンクの両方においてＯＦＤＭを使用することであり得る。アップリンク内でＯＦＤＭを使用する別の理由は、複数の層が単一ＵＥから空間的に多重化される多層送信（ＭＩＭＯ）である。ＯＦＤＭでは、基地局受信器はより単純になり得る。ＯＦＤＭの使用はまた、時間領域だけでなく周波数領域も使用され得ることから、異なる信号を多重化することに関してさらなる柔軟性を可能にする。したがって、ＮＲについては、ＯＦＤＭおよびＤＦＴＳ−ＯＦＤＭの両方をサポートすることが合意されている。
【０００９】
ＯＦＤＭに基づくメッセージ３変調フォーマットでは、一部のＵＥは、ＤＦＴＳ−ＯＦＤＭの使用と比較してＯＦＤＭではより低い送信電力を使用するときにカバレッジ問題にさらされることになる。また、ＯＦＤＭ送信は、ＰＲＡＣＨプリアンブルが低ＰＡＰＲを有するように構築される場合、ＰＲＡＣＨプリアンブルと比較してより低い送信電力を使用しなければならない可能性がある。これは、ＤＦＴＳ−ＯＦＤＭでの送信と比較してＯＦＤＭ送信ではより大きいバックオフが電力増幅器内で使用されなければならないことが理由である。
【００１０】
メッセージ３変調フォーマットが常にＤＦＴＳ−ＯＦＤＭに基づく場合、すべての基地局は、ＯＦＤＭ受信器およびＤＦＴＳ−ＯＦＤＭ受信器の両方を必要とする。さらには、ＯＦＤＭと比較してＤＦＴＳ−ＯＦＤＭでは、いくらか高いリソースオーバーヘッドが必要とされ得る。
【発明の概要】
【００１１】
実施形態において、複数の無線デバイスとのランダムアクセス手順を管理するためのネットワークノードにおける方法が開示される。本方法は、１つまたは複数の無線デバイスからのランダムアクセスメッセージ３送信のための変調フォーマットを設定するために、変調フォーマットの標示を複数の無線デバイスのうちの１つまたは複数に送信することを含む。これは、変調フォーマットが特定のネットワーク条件に応じて選択され得、したがってより最適な変調フォーマットが適用され得るという利点を提供する。
【００１２】
１つの例において、標示された変調フォーマットは、離散フーリエ変換拡散−直交周波数分割多重（ＤＦＴＳ−ＯＦＤＭ）またはＯＦＤＭのいずれかである。
【００１３】
別の例において、ランダムアクセスメッセージ３は、ランダムアクセスシーケンス内の第３のメッセージであり、第１のランダムアクセスメッセージは、ランダムアクセスプリアンブルを含み、第２のランダムアクセスメッセージは、ランダムアクセス応答（ＲＡＲ）を含む。
【００１４】
いくつかの例において、標示された変調フォーマットは、無線デバイスからの将来のデータ送信に適用する。
【００１５】
１つの態様において、変調フォーマットの標示を送信することは、ブロードキャストチャネル内での標示を含む。いくつかの例において、変調フォーマットの標示は、システム情報内での標示を含む。
【００１６】
別の態様において、変調フォーマットの標示を送信することは、ランダムアクセス応答（ＲＡＲ）メッセージ内の標示を含む。
【００１７】
いくつかの例において、標示は、変調フォーマットの暗黙の標示である。
【００１８】
別の態様において、本方法は、変調フォーマットを選択することをさらに含み、この選択は、ネットワークノードの能力、無線デバイスのためのリンクバジェット、無線デバイスによって送信されるべき送信のオーバーヘッド、無線デバイスの決定される電力レベルおよび／または信号対雑音比（ＳＮＲ）、ならびにランダムアクセスプリアンブル検出基準のうちの１つまたは複数に基づく。
【００１９】
別の態様において、本方法は、標示された変調フォーマットに従って無線デバイスからの送信を受信することをさらに含む。いくつかの例において、受信した送信は、ランダムアクセス応答メッセージ内に含まれるアップリンクスケジューリンググラントに応答するものである。
【００２０】
別の態様において、変調フォーマットの標示は、複数の変調フォーマットの標示、および複数の変調フォーマットのうちの選択された１つの無線デバイスからの標示を受信することをさらに含む。いくつかの例において、複数の変調フォーマットは、離散フーリエ変換拡散−直交周波数分割多重（ＤＦＴＳ−ＯＦＤＭ）およびＯＦＤＭを含む。
【００２１】
別の実施形態において、ネットワークノードとのランダムアクセス手順を実施するための無線デバイスにおける方法が提供される。本方法は、ネットワークノードから、ネットワークノードへのランダムアクセスメッセージ３送信のための変調フォーマットの標示を受信することを含む。本方法は、標示された変調フォーマットに従ってランダムアクセスメッセージ３を送信することをさらに含む。
【００２２】
１つの態様において、変調フォーマットの標示は、複数の変調フォーマットの標示を含み、本方法は、複数の変調フォーマットのうちの１つを選択すること、および選択された変調フォーマットの標示をネットワークノードに送信することをさらに含む。
【００２３】
別の実施形態において、無線デバイスとのランダムアクセス手順を管理するように動作可能なネットワークノードが提供される。ネットワークノードは、無線デバイスからのランダムアクセスメッセージ３送信のために使用されるべき変調フォーマットを設定するために、変調フォーマットの標示を無線デバイスに送信するように設定される。
【００２４】
１つの態様において、ネットワークノードは、変調フォーマットを選択するようにさらに設定され、この選択は、ネットワークノードの能力、無線デバイスのためのリンクバジェット、無線デバイスによって送信されるべき送信のオーバーヘッド、無線デバイスの決定される電力レベルおよび／または信号対雑音比（ＳＮＲ）、ならびにランダムアクセスプリアンブル検出基準のうちの１つまたは複数に基づく。
【００２５】
別の態様において、変調フォーマットの標示は、複数の変調フォーマットの標示を含み、ネットワークノードは、複数の変調フォーマットのうちの選択された１つの無線デバイスからの標示を受信するようにさらに設定される。
【００２６】
１つの例において、ネットワークノードは、選択された変調フォーマットに従って無線デバイスからの送信を受信するようにさらに設定される。
【００２７】
いくつかの例において、受信した送信は、ランダムアクセス応答メッセージ内に含まれるアップリンクスケジューリンググラントに応答するものである。
【００２８】
さらなる実施形態において、ネットワークノードとのランダムアクセス手順を実施するように動作可能な無線デバイスが開示される。無線デバイスは、ネットワークノードへのランダムアクセスメッセージ３送信のための変調フォーマットの標示を受信し、標示された変調フォーマットに従ってランダムアクセスメッセージ３を送信するように設定される。
【００２９】
いくつかの例において、変調フォーマットは、離散フーリエ変換拡散−直交周波数分割多重（ＤＦＴＳ−ＯＦＤＭ）またはＯＦＤＭのいずれかである。いくつかの例において、ランダムアクセスメッセージ３は、ランダムアクセスシーケンス内の第３のメッセージであり、第１のランダムアクセスメッセージは、ランダムアクセスプリアンブルを含み、第２のランダムアクセスメッセージは、ランダムアクセス応答（ＲＡＲ）を含む。いくつかの例において、変調フォーマットの標示は、無線デバイスからの将来のデータ送信に適用する。
【００３０】
１つの態様において、変調フォーマットの標示は、ブロードキャストチャネル内での標示を含む。いくつかの例において、変調フォーマットの標示は、システム情報（ＳＩ）内での標示を含む。
【００３１】
別の態様において、変調フォーマットの標示は、ランダムアクセス応答（ＲＡＲ）メッセージ内での標示を含む。
【００３２】
いくつかの例において、標示は、変調フォーマットの暗黙の標示である。
【００３３】
別の態様において、変調フォーマットの標示は、複数の変調フォーマットの標示を含み、無線デバイスは、変調フォーマットを選択し、選択された変調フォーマットの標示をネットワークノードに送信するようにさらに設定される。いくつかの例において、複数の変調フォーマットは、離散フーリエ変換拡散−直交周波数分割多重（ＤＦＴＳ−ＯＦＤＭ）およびＯＦＤＭを含む。
【００３４】
別の実施形態において、トランシーバ、プロセッサ、およびメモリを備えるネットワークノードが開示され、本ネットワークノードは、無線デバイスとのランダムアクセス手順を管理するように動作可能であり、プロセッサは、無線デバイスからのランダムアクセスメッセージ３送信のために使用されるべき変調フォーマットを設定するために、トランシーバを介して、変調フォーマットの標示を無線デバイスに送信するように設定される。
【００３５】
別の実施形態において、トランシーバ、プロセッサ、およびメモリを備える無線デバイスが開示され、本無線デバイスは、ネットワークノードとのランダムアクセス手順を実施するように動作可能であり、プロセッサは、トランシーバを介して、ネットワークノードへのランダムアクセスメッセージ３送信のための変調フォーマットの標示を受信し、トランシーバを介して、標示された変調フォーマットに従ってランダムアクセスメッセージ３を送信するように設定される。
【００３６】
さらなる実施形態において、命令を含む、コンピュータプログラム、コンピュータプログラム製品またはキャリアが開示され、本命令は、コンピュータ上で実行されとき請求項１から２２の方法のうちのいずれか１つを実施する。
【図面の簡単な説明】
【００３７】
【図１】本開示の実施形態が適用され得るシナリオを例証する図である。
【図２】本開示の実施形態が適用され得る手順例を例証する図である。
【図３】本開示の実施形態が適用され得るシナリオ例を例証する図である。
【図４】本開示の実施形態が適用され得るさらなる手順例を例証する図である。
【図５】本開示の実施形態が適用され得るさらなるシナリオ例を例証する図である。
【図６】本開示の実施形態の環境例を例証する図である。
【図７】本開示の実施形態のシナリオ例を例証する図である。
【図８】本開示の１つまたは複数の実施形態によるネットワークノードの物理ユニット例を例証するブロック図である。
【図９】本開示の１つまたは複数の実施形態による無線デバイスの物理ユニット例を例証するブロック図である。
【図１０】特定の実施形態による、例示的な無線デバイスのブロック概略図である。
【図１１】特定の実施形態による、例示的なネットワークノードのブロック概略図である。
【図１２】特定の実施形態による、例示的な無線ネットワークコントローラまたはコアネットワークノード１３０のブロック概略図である。
【図１３】特定の実施形態による、例示的な無線デバイスのブロック概略図である。
【図１４】特定の実施形態による、例示的なネットワークノードのブロック概略図である。
【図１５】特定の実施形態による、基地局における方法例を示す図である。
【図１６】特定の実施形態による、無線デバイスまたはＵＥにおける方法例を示す図である。
【発明を実施するための形態】
【００３８】
いくつかの実施形態において、メッセージは、ランダムアクセス応答（ＲＡＲ）内に、または、ＯＦＤＭもしくはＤＦＴＳ−ＯＦＤＭでメッセージ３を送信するようにＵＥを設定するブロードキャストチャネルと共に、導入される。利点として、メッセージ３のための変調フォーマット間の選択は、基地局内の受信器の能力、個々のＵＥのためのリンクバジェット、および／またはメッセージ３の入手可能なオーバーヘッドに基づき得る。
【００３９】
図６は、特定の実施形態による、ネットワーク１００の実施形態を例証するブロック概略図である。ネットワーク１００は、１つまたは複数のユーザ機器（ＵＥ）１１０（同義で、無線デバイス１１０と呼ばれ得る）、および１つまたは複数のネットワークノード１１５（同義で、ｅＮＢまたはｇＮＢ１１５と呼ばれ得る）を含む。ＵＥ１１０は、無線インターフェースを通じてネットワークノード１１５と通信し得る。例えば、ＵＥ１１０は、無線信号をネットワークノード１１５のうちの１つまたは複数に送信し、および／またはネットワークノード１１５のうちの１つまたは複数から無線信号を受信し得る。無線信号は、音声トラフィック、データトラフィック、制御信号、および／または任意の他の好適な情報を含み得る。いくつかの例において、ネットワークノード１１５と関連付けられた無線信号カバレッジのエリアは、セル１２５と呼ばれ得る。いくつかの例において、ＵＥ１１０は、デバイスツーデバイス（Ｄ２Ｄ）能力を有し得る。したがって、ＵＥ１１０は、直接、別のＵＥから信号を受信すること、および／または別のＵＥに信号を送信することができてもよい。特定の実施形態において、ネットワークノード１１５は、１つまたは複数のビームを送信し得、１つまたは複数のＵＥ１１０は、ネットワークノード１１５のうちの１つまたは複数からのこれらのビームを監視することを求められ得る。
【００４０】
特定の実施形態において、ネットワークノード１１５は、無線ネットワークコントローラとインターフェースし得る。無線ネットワークコントローラは、ネットワークノード１１５を制御し得、特定の無線リソース管理機能、モビリティ管理機能、および／または他の好適な機能を提供し得る。特定の実施形態において、無線ネットワークコントローラの機能が、ネットワークノード１１５に含まれ得る。無線ネットワークコントローラは、コアネットワークノードとインターフェースし得る。特定の実施形態において、無線ネットワークコントローラは、相互接続ネットワーク１２０を介してコアネットワークノードとインターフェースし得る。相互接続ネットワーク１２０は、音声、映像、信号、データ、メッセージ、または前述の組み合わせを送信することができる任意の相互接続システムを指し得る。相互接続ネットワーク１２０は、公衆交換電話網（ＰＳＴＮ）、公衆もしくは専用データネットワーク、ローカルエリアネットワーク（ＬＡＮ）、メトロポリタンエリアネットワーク（ＭＡＮ）、広域ネットワーク（ＷＡＮ）、インターネットなどのローカル、地域的、もしくは大域的通信もしくはコンピュータネットワーク、有線もしくは無線ネットワーク、企業イントラネット、または、それらの組み合わせを含む、任意の他の通信リンクのすべてもしくは一部分を含み得る。
【００４１】
いくつかの実施形態において、コアネットワークノードは、通信セッションの確立およびＵＥ１１０のための様々な他の機能性を管理し得る。ＵＥ１１０は、非アクセスストレータム層を使用して、特定の信号をコアネットワークノードと交換し得る。非アクセスストレータムシグナリングにおいて、ＵＥ１１０とコアネットワークノードとの間の信号は、無線アクセスネットワークを介してトランスペアレントに通過され得る。特定の実施形態において、ネットワークノード１１５は、例えば、Ｘ２インターフェースなどのノード間インターフェースを通じて１つまたは複数のネットワークノードとインターフェースし得る。
【００４２】
上に説明されるように、ネットワーク１００の実施形態例は、１つまたは複数の無線デバイス１１０、および無線デバイス１１０と（直接的または間接的に）通信することができる１つまたは複数の異なるタイプのネットワークノードを含み得る。
【００４３】
いくつかの実施形態において、非限定的な用語「ＵＥ」が使用される。本明細書に説明されるＵＥ１１０は、無線信号を通じてネットワークノード１１５または別のＵＥと通信することができる任意のタイプの無線デバイスであり得る。ＵＥ１１０はまた、無線通信デバイス、ターゲットデバイス、Ｄ２Ｄ  ＵＥ、マシン型通信ＵＥまたはマシンツーマシン通信（Ｍ２Ｍ）ができるＵＥ、低費用および／または低複雑性ＵＥ、ＵＥを備えたセンサ、タブレット、モバイル端末、スマートフォン、ラップトップ埋込型機器（ＬＥＥ）、ラップトップ搭載型機器（ＬＭＥ）、ＵＳＢドングル、顧客宅内機器（ＣＰＥ）などであり得る。ＵＥ１１０は、そのサービングセルに関して標準カバレッジまたは拡張カバレッジのいずれかで動作し得る。拡張カバレッジは、同義に、拡大カバレッジと呼ばれ得る。ＵＥ１１０はまた、複数のカバレッジレベル（例えば、標準カバレッジ、拡張カバレッジレベル１、拡張カバレッジレベル２、拡張カバレッジレベル３など）内で動作し得る。いくつかの場合において、ＵＥ１１０は、カバレッジ外のシナリオでも動作し得る。
【００４４】
また、いくつかの実施形態において、一般的な用語「無線ネットワークノード」（または単に「ネットワークノード」）が使用される。それは、基地局（ＢＳ）、無線基地局（ＲＢＳ）、ノードＢ、ＭＳＲ  ＢＳなどのマルチスタンダード無線（ＭＳＲ）無線ノード、エボルブドノードＢ（ｅＮＢ）、ｇＮＢネットワークコントローラ、無線ネットワークコントローラ（ＲＮＣ）、基地局コントローラ（ＢＳＣ）、リレーノード、リレードナーノード制御リレー、ベーストランシーバ基地局（ＢＴＳ）、アクセスポイント（ＡＰ）、無線アクセスポイント、送信ポイント、送信ノード、リモートラジオユニット（ＲＲＵ）、リモート無線ヘッド（ＲＲＨ）、分散アンテナシステム（ＤＡＳ）内のノード、マルチセル／マルチキャスト協調エンティティ（ＭＣＥ）、コアネットワークノード（例えば、ＭＳＣ、ＭＭＥなど）、Ｏ＆Ｍ、ＯＳＳ、ＳＯＮ、位置決めノード（例えば、Ｅ−ＳＭＬＣ）、ＭＤＴ、または任意の他の好適なネットワークノードを含み得る、あらゆる種類のネットワークノードであり得る。
【００４５】
ネットワークノードおよび無線デバイスまたはＵＥなどの用語は、非限定的であると見なされるべきであり、特に、２つの間の特定の階層関係を暗示するものではなく、一般に、「ｅノードＢ」はデバイス１として、「ＵＥ」はデバイス２として見なされ得、これら２つのデバイスは、何らかの無線チャネルを通じて互いと通信する。
【００４６】
ＵＥ１１０、ネットワークノード１１５、および他のネットワークノード（無線ネットワークコントローラまたはコアネットワークノードなど）の実施形態例は、図８から図１４に関連して以下により詳細に説明される。
【００４７】
図６は、ネットワーク１００の特定の配列を例証するが、本開示は、本明細書に説明される様々な実施形態が、任意の好適な設定を有する多種多様なネットワークに適用され得ることを企図する。例えば、ネットワーク１００は、任意の好適な数のＵＥ１１０およびネットワークノード１１５、ならびにＵＥ同士またはＵＥと別の通信デバイス（固定電話など）との間の通信をサポートするのに好適な任意の追加の素子を含み得る。さらには、特定の実施形態は、５Ｇネットワークにおいて実施されるものとして説明され得るが、実施形態は、任意の好適な通信規格をサポートし、かつ任意の好適なコンポーネントを使用する任意の適切なタイプの電気通信システムにおいて実施されてもよく、また任意の無線アクセス技術（ＲＡＴ）、またはＵＥが信号（例えばデータ）を受信および／もしくは送信するマルチＲＡＴシステムに適用可能である。例えば、本明細書に説明される様々な実施形態は、ＬＴＥ、ＬＴＥアドバンスト、５Ｇ、ＮＲ、ＵＭＴＳ、ＨＳＰＡ、ＧＳＭ、ｃｄｍａ２０００、ＷＣＤＭＡ、ＷｉＭａｘ、ＵＭＢ、ＷｉＦｉ、別の好適な無線アクセス技術、または１つもしくは複数の無線アクセス技術の任意の好適な組み合わせに適用可能であり得る。特定の実施形態は、ダウンリンク内の無線送信の文脈で説明され得るが、本開示は、様々な実施形態がアップリンク内で同等に適用可能であることを企図する。
【００４８】
いくつかの実施形態において、ＲＡＲがＤＦＴＳ−ＯＦＤＭに対するＯＦＤＭの使用を標示する場合には、追加のビットフィールドがＲＡＲに含まれる。このフィールドは、「変調フォーマット」と呼ばれ得る。このＲＡＲは、ＵＥ特有、ＰＲＡＣＨプリアンブル特有、またはＵＥのグループに共通であり得る。後者の場合、いくつかのＵＥが、１つの単一の変調フォーマットフィールドで指定され得る。変調フォーマットはまた、暗黙にシグナリングされ得、例えば、アップリンクグラント内で特定のリソース割り当てに結び付けられるか、ＲＡＲを送信するために使用されるＤＬリソースに結び付けられるか、ＴＣ−ＲＮＴＩから得られるか、またはバックオフインジケータに依存し得る。
【００４９】
いくつかの実施形態において、「変調フォーマット」は、ブロードキャストチャネル内で標示され、非ＵＥ特有の様式で送信され得る。これの変異形は、ダウンリンクセル検索および同期シーケンスなどの同期の間に使用される何らかの量にアップリンク波形を結び付けることであり得る（同期シーケンスまたはセルＩＤの１つのセットがＤＦＴＳ−ＯＦＤＭを意味し、別のセットがＯＦＤＭを意味する）。ブロードキャストチャネルは、ランダムアクセスを実施する前にＵＥによって読み出されるマスター情報ブロック（ＭＩＢ）またはシステム情報ブロック（ＳＩＢ）であり得る。言い換えると、ブロードキャストチャネルは、マスター情報ブロック（ＭＩＢ）またはシステム情報ブロック（ＳＩＢ）を含み得る。
【００５０】
いくつかの実施形態において、変調フォーマットの選択は、ＰＲＡＣＨプリアンブル検出に基づき得る。ＰＲＡＣＨプリアンブルが低電力または低ＳＮＲで検出される場合、これは、ＵＥが電力制限され、メッセージ３を送信するときにＯＦＤＭよりもＤＦＴＳ−ＯＦＤＭの使用の方が良いことを示し得る。
【００５１】
上で述べたように、いくつかの実施形態は、ランダムアクセス応答（ＲＡＲ）内にメッセージを導入し、他の実施形態は、ＯＦＤＭまたはＤＦＴＳ−ＯＦＤＭでメッセージ３を送信するようにＵＥを設定するブロードキャストチャネルを使用する。
【００５２】
ランダムアクセス応答は、典型的には、以下のペイロードを有する：
・ＰＲＡＣＨプリアンブルを確認するためなどの、検出されたＰＲＡＣＨプリアンブルインデックス
・ＵＥへのタイミングアドバンス（ＴＡ）コマンド
・ＵＥへのアップリンクスケジューリンググラント
・一時的アイデンティティ（例えば、ＴＣ−ＲＮＴＩ）
・必要に応じて追加の同期信号の設定
・バックオフインジケータ（ＢＩ）
【００５３】
図７は、ＰＲＡＣＨプリアンブル検出基準を例証する。この基準は、ＰＲＡＣＨプリアンブルの受信した信号強度に対応する。プリアンブル検出しきい値も含まれ、これは、ＰＲＡＣＨプリアンブル基準がこのしきい値を超えた場合にプリアンブルが検出と見なされるように使用される。第２のしきい値も含まれ、基地局は、ＰＲＡＣＨプリアンブルがこの基準を上回る場合にはメッセージ３にＯＦＤＭを使用し、そうでない場合にはＤＦＴＳ−ＯＦＤＭを使用するようにＵＥに命じる。これらの実施形態において、変調フォーマットフィールドは、検出されたＰＲＡＣＨプリアンブルに結び付けられたＲＡＲ内に含まれ得る。
【００５４】
いくつかの実施形態において、「変調フォーマット」は、ＯＦＤＭ（またはＤＦＴＳ−ＯＦＤＭ）シンボルの数、時間および周波数における参照信号密度、層の数などの、メッセージ３送信のより多くの側面を設定するために使用され得る。これは、例えば受信したＰＲＡＣＨプリアンブルから測定されるリンクバジェットに応じてメッセージ３フォーマットを調整するためである。このやり方では、メッセージ３に必要とされるリソース割り当ては、ＵＥが良好なリンクバジェットを有するときにはより小さくなり得る。
【００５５】
いくつかの実施形態において、ＲＡＲにおけるＤＦＴＳ−ＯＦＤＭまたはＯＦＤＭの間の選択は、将来のデータ送信用でもあるアップリンク波形を決定するために、即ち、ＲＡＲ波形選択を「永続的」にするために使用される。これは、ＤＦＴＳ−ＯＦＤＭを使用するか、またはＯＦＤＭを使用するかを後続のデータ送信中にＵＥに通知する必要性を回避し得る。
【００５６】
メッセージ３変調フォーマットがシステム情報（ＳＩ）内に標示される場合、それは、ＤＦＴＳ−ＯＦＤＭまたはＯＦＤＭのいずれかを単に指定することができ、この場合、ＵＥはこの設定に従わなければならない。システム情報（ＳＩ）は、マスター情報ブロック（ＭＩＢ）またはシステム情報ブロック（ＳＩＢ）を含み得る。しかしながら、ｇＮＢはまた、ＯＦＤＭおよびＤＦＴＳ−ＯＦＤＭの両方を標示し得る。この場合、１つの可能性は、ＵＥが、例えばその電力バジェットに基づいて、１つのプリアンブル送信方式を選択し、ｇＮＢがその送信方式を盲検的に検出することである。ブラインド復号は、メッセージ３の参照信号に基づき得る。
【００５７】
別の可能性は、ｇＮＢがＰＲＡＣＨプリアンブルの２つのセットを指定することであり、ＵＥは、メッセージ３にＯＦＤＭを使用することを望む場合には第１のセットからプリアンブルを選択し、メッセージ３にＤＦＴＳ−ＯＦＤＭを使用することを望む場合には第２のセットからプリアンブルを選択する（ｇＮＢが両方のプリアンブルセットを指定する場合、これは、ｇＮＢがメッセージ３のためにＯＦＤＭおよびＤＦＴＳ−ＯＦＤＭの両方をサポートする一方で、１つのセットのみが非ゼロ基数を有する場合には対応する送信方式のみがサポートされることをシグナリングするという１つの可能性である）。
【００５８】
例えば、受信したＰＳＳ、ＳＳＳ、およびＰＢＣＨの電力に基づいて、ＵＥは、第１または第２のプリアンブルセットのＰＲＡＣＨプリアンブルを選択し、それにより、メッセージ３についてＯＦＤＭまたはＤＦＴＳ−ＯＦＤＭを標示する。この受信した電力は、ｇＮＢとＵＥとの間のパスロスを計算するために使用され得る。別の例において、ＵＥは、ＰＲＡＣＨプリアンブル電力に基づいてＯＦＤＭとＤＦＴＳ−ＯＦＤＭとの間で選択する。このＰＲＡＣＨプリアンブル電力は、計算されたパスロスまたはＰＲＡＣＨ電力勾配に基づき得る。例えば、第１の送信において、ＵＥは、ＯＦＤＭを標示するプリアンブルを選択するが、ＵＥがその送信電力を勾配させなければならない場合には、ＵＥは、ＤＦＴＳ−ＯＦＤＭを標示するプリアンブルへと切り替える。
【００５９】
ＰＲＡＣＨプリアンブルを受信し、整合メッセージ３送信をグラントするｇＮＢは、このとき、メッセージ３送信についてどの送信方式を予期すべきかを知っている。任意選択的に、この方式は依然として、メッセージ３送信方式についてのＵＥの選好を潜在的に上書きするために、ＲＡＲ内の変調フォーマットビットで補完され得る。
【００６０】
ＰＲＡＣＨプリアンブルグループの選択（ＵＥからｇＮＢへと伝搬される暗黙の変調フォーマットビットとして見られ得る）はまた、上のように、メッセージ３のより多くの側面を設定することができる。
【００６１】
提供されるように、いくつかの実施形態において、ｇＮＢは、２つの異なるＰＲＡＣＨプリアンブルグループを指定し、一方はＯＦＤＭに対応し、他方はＤＦＴＳ−ＯＦＤＭメッセージ３送信に対応する。ＰＲＡＣＨプリアンブルの代わりに、いくつかの実施形態は、ＯＦＤＭおよびＤＦＴＳ−ＯＦＤＭメッセージ３送信に対応する、異なるＰＲＡＣＨフォーマットまたは時間／周波数のリソースを使用し得る。
【００６２】
図８は、特定の実施形態による、例示的な基地局８００のブロック概略図である。図８の基地局例は、図１から図７または本開示の任意の例に関連して上に説明される機能性を実施するように設定され得る。図８の基地局例は、サーブされるＵＥと通信するための無線回路８１０と、他の無線ネットワークおよびコアネットワークならびにＯＡＭシステムノードと通信するための通信回路８２０と、本発明に関連する情報を格納するためのメモリ８３０と、処理ユニット８４０とを用いて配設される。処理ユニット８４０は、ＵＥに提供されるべきＲＡＲメッセージを形成するように設定され得る。メモリ８３０は、サーブされるＵＥおよび変調フォーマットに関する情報を格納するように設定され得る。無線回路８１０は、ＯＦＤＭまたはＤＦＴＳ−ＯＦＤＭでメッセージ３を送信するためにＲＡＲメッセージをＵＥに通信することを含む、サーブされるＵＥとの通信を行うように設定され得る。別の例において、無線回路８２０は、ブロードキャストチャネル内で「変調フォーマット」を送信するように設定され、非ＵＥ特有の様式で送信される。これの変異形は、ダウンリンクセル検索、および同期シーケンスなどの同期の間に使用される何らかの量にアップリンク波形を結び付けることであり得る（同期シーケンスまたはセルＩＤの１つのセットがＤＦＴＳ−ＯＦＤＭを意味し、別のセットがＯＦＤＭを意味する）。いくつかの例において、ブロードキャストチャネルは、ランダムアクセスを実施する前にＵＥによって読み出されるマスター情報ブロック（ＭＩＢ）またはシステム情報ブロック（ＳＩＢ）であり得る。
【００６３】
図９は、特定の実施形態による、例示的な無線デバイス９００のブロック概略図である。図９の無線デバイス例は、図１から図７または本開示の任意の例に関連して上に説明されるＵＥの機能性を実施するように設定され得る。図９の無線デバイス例９００は、サービング基地局と通信するための無線回路９１０と、本明細書に関連する情報を格納するためのメモリ９２０と、処理ユニット９３０とを用いて配設され得る。無線回路９１０は、ＯＦＤＭまたはＤＦＴＳ−ＯＦＤＭでメッセージ３を送信するために基地局からＲＡＲメッセージを受信すること、およびそのメッセージに従ってメッセージ３で応答することを含む、サービング基地局との通信を行うように設定され得る。別の例において、無線回路は、ブロードキャストチャネル内で標示され、かつ非ＵＥ特有の様式で送信される「変調フォーマット」を受信するように設定される。これの変異形は、ダウンリンクセル検索、および同期シーケンスなどの同期の間に使用される何らかの量にアップリンク波形を結び付けることであり得る（同期シーケンスまたはセルＩＤの１つのセットがＤＦＴＳ−ＯＦＤＭを意味し、別のセットがＯＦＤＭを意味する）。いくつかの態様において、ブロードキャストチャネルは、ランダムアクセスを実施する前にＵＥによって読み出されるマスター情報ブロック（ＭＩＢ）またはシステム情報ブロック（ＳＩＢ）を含む。他の例において、ｇＮＢはまた、ＯＦＤＭおよびＤＦＴＳ−ＯＦＤＭの両方を標示し得る。この場合、１つの例において、処理ユニットは、例えばＵＥ電力バジェットに基づいて、１つのプリアンブル送信を選択する、言い換えると、変調フォーマットのうちの１つを選択するように設定される。
【００６４】
処理ユニットは、標示／選択された変調フォーマットに従ってメッセージ３を形成するように設定され得る。メモリは、ＵＥおよび他のネットワークコンポーネントに関する情報を格納するように設定され得る。
【００６５】
図１０は、特定の実施形態による、例示的な無線デバイスのブロック概略図である。無線デバイス１１０は、ノードと、および／またはセルラまたは移動体通信システム内の別の無線デバイスと通信する任意のタイプの無線デバイスを指し得る。無線デバイス１１０の例としては、携帯電話、スマートフォン、ＰＤＡ（パーソナルデジタルアシスタント）、ポータブルコンピュータ（例えば、ラップトップ、タブレット）、センサ、モデム、マシン型通信（ＭＴＣ）デバイス／マシンツーマシン（Ｍ２Ｍ）デバイス、ラップトップ埋込型機器（ＬＥＥ）、ラップトップ搭載型機器（ＬＭＥ）、ＵＳＢドングル、Ｄ２Ｄ可能デバイス、または無線通信を提供することができる別のデバイスが挙げられる。無線デバイス１１０はまた、いくつかの実施形態においては、ＵＥ、ステーション（ＳＴＡ）、デバイス、または端末と呼ばれ得る。無線デバイス１１０は、トランシーバ１３１０、プロセッサ１３２０、およびメモリ１３３０を含む。いくつかの実施形態において、トランシーバ１３１０は、（例えば、アンテナ１３４０を介して）ネットワークノード１１５に無線信号を送信することおよびネットワークノード１１５から無線信号を受信することを促進し、プロセッサ１３２０は、無線デバイス１１０によって提供されるものとして上に説明される機能性の一部またはすべてを提供するために命令を実行し、メモリ１３３０は、プロセッサ１３２０によって実行される命令を格納する。
【００６６】
プロセッサ１３２０は、図１から図９に関連して上に説明される無線デバイス１１０の機能などの、無線デバイス１１０の説明された機能の一部またはすべてを実施するための命令および操作データを実行するために、１つまたは複数のモジュール内に実装されるハードウェアおよびソフトウェアの任意の好適な組み合わせを含み得る。例えば、ＯＦＤＭまたはＤＦＴＳ−ＯＦＤＭでメッセージ３を送信するために基地局からＲＡＲメッセージを受信すること、およびそのメッセージに従ってメッセージ３で応答することを含む、サービング基地局との通信を行うためである。別の例において、ブロードキャストチャネル内で標示され、かつ非ＵＥ特有の様式で送信される「変調フォーマット」を受信するため。これの変異形は、ダウンリンクセル検索、および同期シーケンスなどの同期の間に使用される何らかの量にアップリンク波形を結び付けることであり得る（同期シーケンスまたはセルＩＤの１つのセットがＤＦＴＳ−ＯＦＤＭを意味し、別のセットがＯＦＤＭを意味する）。いくつかの態様において、ブロードキャストチャネルは、ランダムアクセスを実施する前にＵＥによって読み出されるマスター情報ブロック（ＭＩＢ）またはシステム情報ブロック（ＳＩＢ）を含む。他の例において、ｇＮＢはまた、ＯＦＤＭおよびＤＦＴＳ−ＯＦＤＭの両方を標示し得る。この場合、１つの例において、プロセッサは、例えばＵＥ電力バジェットに基づいて、１つのプリアンブル送信を選択する、言い換えると、変調フォーマットのうちの１つを選択する。
【００６７】
いくつかの実施形態において、プロセッサ１３２０は、例えば、１つもしくは複数のコンピュータ、１つもしくは複数の中央処理ユニット（ＣＰＵ）、１つもしくは複数のマイクロプロセッサ、１つもしくは複数のアプリケーション、１つもしくは複数の特定用途向け集積回路（ＡＳＩＣ）、１つもしくは複数のフィールドプログラマブルゲートアレイ（ＦＰＧＡ）、および／または他の論理を含み得る。
【００６８】
メモリ１３３０は、一般的には、論理、規則、アルゴリズム、コード、テーブルなどのうちの１つもしくは複数を含むコンピュータプログラム、ソフトウェア、アプリケーションなどの命令、および／またはプロセッサによって実行されることが可能である他の命令を格納するように動作可能である。メモリ１３３０の例としては、コンピュータメモリ（例えば、ランダムアクセスメモリ（ＲＡＭ）または読出し専用メモリ（ＲＯＭ））、大容量記憶媒体（例えば、ハードディスク）、リムーバブル記憶媒体（例えば、コンパクトディスク（ＣＤ）またはデジタルビデオディスク（ＤＶＤ））、ならびに／または、プロセッサ１０２０によって使用され得る情報、データ、および／もしくは命令を格納する任意の他の揮発性もしくは不揮発性の非一時的なコンピュータ可読および／もしくはコンピュータ実行可能メモリデバイスが挙げられる。
【００６９】
無線デバイス１１０の他の実施形態は、上に説明される機能性のいずれかおよび／または任意の追加の機能性（上に説明されるソリューションをサポートするのに必要な任意の機能性を含む）を含む、無線デバイスの機能性の特定の側面を提供することを担い得る、図１０に示されるもの以外の追加のコンポーネントを含み得る。単に１つの例として、無線デバイス１１０は、プロセッサ１３２０の部分であり得る、入力デバイスおよび回路、出力デバイス、ならびに１つまたは複数の同期ユニットまたは回路を含み得る。入力デバイスは、無線デバイス１１０内へのデータのエントリのための機構を含む。例えば、入力デバイスは、マイク、入力素子、ディスプレイなどの入力機構を含み得る。出力デバイスは、音声、映像、および／またはハードコピーフォーマットでデータを出力するための機構を含み得る。例えば、出力デバイスは、スピーカ、ディスプレイなどを含み得る。
【００７０】
図１１は、特定の実施形態による、例示的なネットワークノードのブロック概略図である。ネットワークノード１１５は、任意のタイプの無線ネットワークノード、またはＵＥおよび／もしくは別のネットワークノードと通信する任意のネットワークノードであり得る。ネットワークノード１１５の例としては、ｅノードＢ、ｇＮＢ、ノードＢ、基地局、無線アクセスポイント（例えば、Ｗｉ−Ｆｉアクセスポイント）、低電力ノード、ベーストランシーバ基地局（ＢＴＳ）、リレー、ドナーノード制御リレー、送信ポイント、送信ノード、リモートＲＦユニット（ＲＲＵ）、リモート無線ヘッド（ＲＲＨ）、ＭＳＲ  ＢＳノードなどのマルチスタンダード無線（ＭＳＲ）無線ノード、分散アンテナシステム（ＤＡＳ）内のノード、Ｏ＆Ｍ、ＯＳＳ、ＳＯＮ、位置決めノード（例えば、Ｅ−ＳＭＬＣ）、ＭＤＴ、または任意の他の好適なネットワークノードが挙げられる。ネットワークノード１１５は、ホモジニアス配置、ヘテロジニアス配置、または混合配置としてネットワーク１００全体にわたって配置され得る。ホモジニアス配置は、一般には、同じ（または同様の）タイプのネットワークノード１１５、ならびに／または同様のカバレッジおよびセルサイズおよびサイト間距離で構成された配置を説明し得る。ヘテロジニアス配置は、一般には、異なるセル、送信電力、容量、およびサイト間距離を有する様々なタイプのネットワークノード１１５を使用した配置を説明し得る。例えば、ヘテロジニアス配置は、マクロセルレイアウト全体にわたって置かれる複数の低電力ノードを含み得る。混合配置は、ホモジニアス部分およびヘテロジニアス部分の混合を含み得る。
【００７１】
ネットワークノード１１５は、トランシーバ１４１０、プロセッサ１４２０、メモリ１４３０、およびネットワークインターフェース１４４０のうちの１つまたは複数を含み得る。いくつかの実施形態において、トランシーバ１４１０は、（例えば、アンテナ１４５０を介して）無線デバイス１１０に無線信号を送信すること、および無線デバイス１１０から無線信号を受信することを促進し、プロセッサ１４２０は、ネットワークノード１１５によって提供されるものとして上に説明される機能性の一部またはすべてを提供するための命令を実行し、メモリ１４３０は、プロセッサ１４２０によって実行される命令を格納し、ネットワークインターフェース１４４０は、ゲートウェイ、スイッチ、ルータ、インターネット、公衆交換電話網（ＰＳＴＮ）、コアネットワークノード、または無線ネットワークコントローラなどの後置ネットワークコンポーネントに信号を通信する。
【００７２】
プロセッサ１４２０は、上の図１から図９に関連して上に説明されるものなどのネットワークノード１１５の説明された機能の一部またはすべてを実施するための命令および操作データを実行するために、１つまたは複数のモジュール内に実装されるハードウェアおよびソフトウェアの任意の好適な組み合わせを含み得る。例えば、ＯＦＤＭまたはＤＦＴＳ−ＯＦＤＭでメッセージ３を送信するためにＲＡＲメッセージをＵＥに通信することを含む、サーブされるＵＥとの通信を行うためである。別の例において、ロードキャストチャネル内の、および非ＵＥ特有の様式で送信される「変調フォーマット」を送信するため。これの変異形は、ダウンリンクセル検索、および同期シーケンスなどの同期の間に使用される何らかの量にアップリンク波形を結び付けることであり得る（同期シーケンスまたはセルＩＤの１つのセットがＤＦＴＳ−ＯＦＤＭを意味し、別のセットがＯＦＤＭを意味する）。いくつかの態様において、ブロードキャストチャネルは、ランダムアクセスを実施する前にＵＥによって読み出されるマスター情報ブロック（ＭＩＢ）またはシステム情報ブロック（ＳＩＢ）を含む。
【００７３】
いくつかの実施形態において、プロセッサ１４２０は、例えば、１つもしくは複数のコンピュータ、１つもしくは複数の中央処理ユニット（ＣＰＵ）、１つもしくは複数のマイクロプロセッサ、１つもしくは複数のアプリケーション、および／または他の論理を含み得る。
【００７４】
メモリ１４３０は、一般的には、論理、規則、アルゴリズム、コード、テーブルなどのうちの１つもしくは複数を含むコンピュータプログラム、ソフトウェア、アプリケーションなどの命令、および／またはプロセッサによって実行されることが可能である他の命令を格納するように動作可能である。メモリ１４３０の例としては、コンピュータメモリ（例えば、ランダムアクセスメモリ（ＲＡＭ）または読出し専用メモリ（ＲＯＭ））、大容量記憶媒体（例えば、ハードディスク）、リムーバブル記憶媒体（例えば、コンパクトディスク（ＣＤ）またはデジタルビデオディスク（ＤＶＤ））、ならびに／または、情報を格納する任意の他の揮発性もしくは不揮発性の非一時的なコンピュータ可読および／もしくはコンピュータ実行可能メモリデバイスが挙げられる。
【００７５】
いくつかの実施形態において、ネットワークインターフェース１４４０は、プロセッサ１４２０に通信可能に結合され、ネットワークノード１１５の入力を受信する、ネットワークノード１１５からの出力を送信する、入力もしくは出力もしくは両方の好適な処理を実施する、他のデバイスに通信する、または先述の任意の組み合わせを行うように動作可能な、任意の好適なデバイスを指し得る。ネットワークインターフェース１４４０は、ネットワークを通じて通信するために、プロトコル変換およびデータ処理能力を含む、適切なハードウェア（例えば、ポート、モデム、ネットワークインターフェースカードなど）およびソフトウェアを含み得る。
【００７６】
ネットワークノード１１５の他の実施形態は、上に説明される機能性のいずれかおよび／または任意の追加の機能性（上に説明されるソリューションをサポートするのに必要な任意の機能性を含む）を含む、無線ネットワークノードの機能性の特定の側面を提供することを担い得る、図１１に示されるもの以外の追加のコンポーネントを含み得る。様々な異なるタイプのネットワークノードは、同じ物理ハードウェアを有するが、異なる無線アクセス技術をサポートするように（例えば、プログラミングにより）設定されたコンポーネントを含み得るか、または部分的もしくは完全に異なる物理コンポーネントを表し得る。
【００７７】
図１２は、特定の実施形態による、例示的な無線ネットワークコントローラまたはコアネットワークノードのブロック概略図である。ネットワークノードの例としては、移動体交換局（ＭＳＣ）、サービングＧＰＲＳサポートノード（ＳＧＳＮ）、モビリティ管理エンティティ（ＭＭＥ）、無線ネットワークコントローラ（ＲＮＣ）、基地局コントローラ（ＢＳＣ）などが挙げられ得る。無線ネットワークコントローラまたはコアネットワークノード１３０は、プロセッサ１５２０、メモリ１５３０、およびネットワークインターフェース１５４０を含む。いくつかの実施形態において、プロセッサ１５２０は、ネットワークノードによって提供されるものとして上に説明される機能性の一部またはすべてを提供するための命令を実行し、メモリ１５３０は、プロセッサ１５２０によって実行される命令を格納し、ネットワークインターフェース１５４０は、ゲートウェイ、スイッチ、ルータ、インターネット、公衆交換電話網（ＰＳＴＮ）、ネットワークノード１１５、無線ネットワークコントローラ、またはコアネットワークノード１３０などの任意の好適なノードに信号を通信する。
【００７８】
プロセッサ１５２０は、無線ネットワークコントローラまたはコアネットワークノード１３０の説明される機能の一部またはすべてを実施するための命令および操作データを実行するために、１つまたは複数のモジュール内に実装されるハードウェアおよびソフトウェアの任意の好適な組み合わせを含み得る。いくつかの実施形態において、プロセッサ１５２０は、例えば、１つもしくは複数のコンピュータ、１つもしくは複数の中央処理ユニット（ＣＰＵ）、１つもしくは複数のマイクロプロセッサ、１つもしくは複数のアプリケーション、および／または他の論理を含み得る。
【００７９】
メモリ１５３０は、一般的に、論理、規則、アルゴリズム、コード、テーブルなどのうちの１つもしくは複数を含むコンピュータプログラム、ソフトウェア、アプリケーションなどの命令、および／またはプロセッサによって実行されることが可能である他の命令を格納するように動作可能である。メモリ１５３０の例としては、コンピュータメモリ（例えば、ランダムアクセスメモリ（ＲＡＭ）または読出し専用メモリ（ＲＯＭ））、大容量記憶媒体（例えば、ハードディスク）、リムーバブル記憶媒体（例えば、コンパクトディスク（ＣＤ）またはデジタルビデオディスク（ＤＶＤ））、ならびに／または、情報を格納する任意の他の揮発性もしくは不揮発性の非一時的なコンピュータ可読および／もしくはコンピュータ実行可能メモリデバイスが挙げられる。
【００８０】
いくつかの実施形態において、ネットワークインターフェース１５４０は、プロセッサ１５２０に通信可能に結合され、ネットワークノードの入力を受信する、ネットワークノードからの出力を送信する、入力もしくは出力もしくは両方の好適な処理を実施する、他のデバイスに通信する、または先述の任意の組み合わせを行うように動作可能な、任意の好適なデバイスを指し得る。ネットワークインターフェース１５４０は、ネットワークを通じて通信するために、プロトコル変換およびデータ処理能力を含む、適切なハードウェア（例えば、ポート、モデム、ネットワークインターフェースカードなど）およびソフトウェアを含み得る。
【００８１】
ネットワークノードの他の実施形態は、上に説明される機能性のいずれかおよび／または任意の追加の機能性（上に説明されるソリューションをサポートするのに必要な任意の機能性を含む）を含む、ネットワークノードの機能性の特定の側面を提供することを担い得る、図１２に示されるもの以外の追加のコンポーネントを含み得る。
【００８２】
図１３は、特定の実施形態による、例示的な無線デバイスのブロック概略図である。無線デバイス１１０は、１つまたは複数のモジュールを含み得る。例えば、無線デバイス１１０は、決定モジュール１６１０、通信モジュール１６２０、受信モジュール１６３０、入力モジュール１６４０、ディスプレイモジュール１６５０、および任意の他の好適なモジュールを含み得る。いくつかの実施形態において、決定モジュール１６１０、通信モジュール１６２０、受信モジュール１６３０、入力モジュール１６４０、ディスプレイモジュール１６５０、または任意の他の好適なモジュールのうちの１つまたは複数は、図１０に関連して上に説明されるプロセッサ１３２０など、１つまたは複数のプロセッサを使用して実施され得る。特定の実施形態において、様々なモジュールのうちの２つ以上のモジュールの機能は、組み合わされて単一のモジュールにされ得る。無線デバイス１１０は、図１から図９に関して上に説明されるＲＡＲ機能性を実施し得る。
【００８３】
決定モジュール１６１０は、無線デバイス１１０の処理機能を実施し得る。例えば、決定モジュール１６１０は、変調フォーマットを標示する基地局からのＲＡＲメッセージに応答してメッセージ３を設定し得る。決定モジュール１６１０は、図１０に関連して上に説明されるプロセッサ１３２０など、１つまたは複数のプロセッサを含むか、またはそれに含まれ得る。決定モジュール１６１０は、上に説明される決定モジュール１６１０および／またはプロセッサ１３２０の機能のいずれかを実施するように設定されるアナログおよび／またはデジタル回路を含み得る。上に説明される決定モジュール１６１０の機能は、特定の実施形態においては、１つまたは複数の全く異なるモジュール内で実施され得る。
【００８４】
通信モジュール１６２０は、無線デバイス１１０の送信機能を実施し得る。例えば、通信モジュール１６２０は、基地局からのＲＡＲメッセージに従ってメッセージ３を送信する。通信モジュール１６２０は、図１０に関連して上に説明されるトランシーバ１３１０など、送信器および／またはトランシーバを含み得る。通信モジュール１６２０は、メッセージおよび／または信号を無線送信するように設定される回路を含み得る。特定の実施形態において、通信モジュール１６２０は、決定モジュール１６１０から送信のためのメッセージおよび／または信号を受信し得る。特定の実施形態において、上に説明される通信モジュール１６２０の機能は、１つまたは複数の全く異なるモジュール内で実施され得る。
【００８５】
受信モジュール１６３０は、無線デバイス１１０の受信機能を実施し得る。１つの例として、受信モジュール１６３０は、ＯＦＤＭまたはＤＦＴＳ−ＯＦＤＭでメッセージ３を送信するために、基地局からＲＡＲメッセージを受信し得る。受信モジュール１６３０は、図１０に関連して上に説明されるトランシーバ１３１０など、受信器および／またはトランシーバを含み得る。受信モジュール１６３０は、メッセージおよび／または信号を無線受信するように設定される回路を含み得る。特定の実施形態において、受信モジュール１６３０は、受信したメッセージおよび／または信号を決定モジュール１６１０に通信し得る。上に説明される受信モジュール１６３０の機能は、特定の実施形態においては、１つまたは複数の全く異なるモジュール内で実施され得る。
【００８６】
入力モジュール１６４０は、無線デバイス１１０向けのユーザ入力を受信し得る。例えば、入力モジュールは、キー押下、ボタン押下、タッチ、スワイプ、音声信号、映像信号、および／または任意の他の適切な信号を受信し得る。入力モジュールは、１つまたは複数のキー、ボタン、レバー、スイッチ、タッチスクリーン、マイク、および／またはカメラを含み得る。入力モジュールは、受信した信号を決定モジュール１６１０に通信し得る。
【００８７】
ディスプレイモジュール１６５０は、無線デバイス１１０のディスプレイ上に信号を提示し得る。ディスプレイモジュール１６５０は、ディスプレイ、ならびに／またはディスプレイ上に信号を提示するように設定される任意の適切な回路およびハードウェアを含み得る。ディスプレイモジュール１６５０は、決定モジュール１６１０からディスプレイ上に提示するための信号を受信し得る。
【００８８】
決定モジュール１６１０、通信モジュール１６２０、受信モジュール１６３０、入力モジュール１６４０、およびディスプレイモジュール１６５０は、ハードウェアおよび／またはソフトウェアの任意の好適な設定を含み得る。無線デバイス１１０は、上に説明される機能性のいずれかおよび／または任意の追加の機能性（本明細書に説明される様々なソリューションをサポートするのに必要な任意の機能性を含む）を含む、任意の好適な機能性を提供することを担い得る、図１３に示されるもの以外の追加のモジュールを含み得る。
【００８９】
図１４は、特定の実施形態による、例示的なネットワークノード１１５のブロック概略図である。ネットワークノード１１５は、１つまたは複数のモジュールを含み得る。例えば、ネットワークノード１１５は、決定モジュール１７１０、通信モジュール１７２０、受信モジュール１７３０、および任意の他の好適なモジュールを含み得る。いくつかの実施形態において、決定モジュール１７１０、通信モジュール１７２０、受信モジュール１７３０、または任意の他の好適なモジュールのうちの１つまたは複数は、図１１に関連して上に説明されるプロセッサ１４２０など、１つまたは複数のプロセッサを使用して実施され得る。特定の実施形態において、様々なモジュールのうちの２つ以上のモジュールの機能は、組み合わされて単一のモジュールにされ得る。ネットワークノード１１５は、図１から図９に関して上に説明されるＲＡＲ機能性を実施し得る。
【００９０】
決定モジュール１７１０は、ネットワークノード１１５の処理機能を実施し得る。例えば、決定モジュール１７１０は、上に説明されるＲＡＲメッセージを形成し得る。決定モジュール１７１０は、図１１に関連して上に説明されるプロセッサ１４２０など、１つまたは複数のプロセッサを含むか、またはそれに含まれ得る。決定モジュール１７１０は、上に説明される決定モジュール１７１０および／またはプロセッサ１４２０の機能のいずれかを実施するように設定されるアナログおよび／またはデジタル回路を含み得る。決定モジュール１７１０の機能は、特定の実施形態においては、１つまたは複数の全く異なるモジュール内で実施され得る。
【００９１】
通信モジュール１７２０は、ネットワークノード１１５の送信機能を実施し得る。１つの例として、通信モジュール１７２０は、上に説明されるＲＡＲメッセージをＵＥに送信し得る。通信モジュール１７２０は、無線デバイス１１０のうちの１つまたは複数にメッセージを送信し得る。通信モジュール１７２０は、図１１に関連して上に説明されるトランシーバ１４１０など、送信器および／またはトランシーバを含み得る。通信モジュール１７２０は、メッセージおよび／または信号を無線送信するように設定される回路を含み得る。特定の実施形態において、通信モジュール１７２０は、決定モジュール１７１０または任意の他のモジュールから送信のためのメッセージおよび／または信号を受信し得る。通信モジュール１７２０の機能は、特定の実施形態においては、１つまたは複数の全く異なるモジュール内で実施され得る。
【００９２】
受信モジュール１７３０は、ネットワークノード１１５の受信機能を実施し得る。受信モジュール１７３０は、ＲＡＲメッセージ３など、無線デバイスから任意の好適な情報を受信し得る。受信モジュール１７３０は、図１１に関連して上に説明されるトランシーバ１４１０など、受信器および／またはトランシーバを含み得る。受信モジュール１７３０は、メッセージおよび／または信号を無線受信するように設定される回路を含み得る。特定の実施形態において、受信モジュール１７３０は、受信したメッセージおよび／または信号を決定モジュール１７１０または任意の他の好適なモジュールに通信し得る。受信モジュール１７３０の機能は、特定の実施形態においては、１つまたは複数の全く異なるモジュール内で実施され得る。
【００９３】
決定モジュール１７１０、通信モジュール１７２０、および受信モジュール１７３０は、ハードウェアおよび／またはソフトウェアの任意の好適な設定を含み得る。ネットワークノード１１５は、上に説明される機能性のいずれかおよび／または任意の追加の機能性（本明細書に説明される様々なソリューションをサポートするのに必要な任意の機能性を含む）を含む、任意の好適な機能性を提供することを担い得る、図１４に示されるもの以外の追加のモジュールを含み得る。
【００９４】
図１５は、基地局における方法例２０００を示し、本方法は、２０１０において、複数の無線デバイスとのランダムアクセス手順を管理するための基地局における方法で開始する。ステップ２０２０において、本方法は、ランダムアクセスメッセージ３送信のための変調フォーマットを設定するために変調フォーマットの標示を送信することを含む。上に開示されるように、そのような送信は、無線デバイスまたはＵＥへのＲＡＲメッセージ内であり得る。上に開示される他の例において、そのような送信は、ブロードキャストチャネル内であり、複数の無線デバイスによって受信される。本方法は、任意選択的に、標示された変調フォーマットに従って無線デバイスから送信を受信するステップ２０３０を含む。本方法は、ステップ２０４０で終了する。
【００９５】
図１６は、無線デバイスまたはＵＥにおける方法例２１００を示し、本方法は、ネットワークノードとのランダムアクセス手順を実施するためのステップ２１１０で開始し、ステップ２１２０において無線デバイスがネットワークノードへのランダムアクセスメッセージ３送信のための変調フォーマットの標示をネットワークノードから受信することへと進む。上に開示されるように、無線デバイスは、ＲＡＲメッセージ内で標示を受信し得る。上に開示される他の例において、無線デバイスは、ブロードキャストチャネル内の、複数の無線デバイスによって受信される標示を受信する。ステップ２１３０において、本方法は、無線デバイスが標示された変調フォーマットに従ってランダムアクセスメッセージ３を送信することを継続する。本方法は、ステップ２１４０で終了する。修正、追加、または省略が、本開示の範囲から逸脱することなく、本明細書に説明されるシステムおよび装置に対して行われてもよい。システムおよび装置のコンポーネントは、統合または分離されてもよい。さらには、システムおよび装置の動作は、より多くのコンポーネント、より少ないコンポーネント、または他のコンポーネントによって実施されてもよい。加えて、システムおよび装置の動作は、ソフトウェア、ハードウェア、および／または他の論理を含む任意の好適な論理を使用して実施され得る。本文書において使用される場合、「各」は、セットの各部材、またはセットのサブセット各部材を指す。
【００９６】
修正、追加、または省略が、本開示の範囲から逸脱することなく、本明細書に説明される方法に対して行われてもよい。本方法は、より多くのステップ、より少ないステップ、または他のステップを含んでもよい。加えて、ステップは、任意の好適な順序で実施されてもよい。
【００９７】
本開示は特定の実施形態に関して説明されているが、実施形態の修正または並べ替えは当業者には明らかであるものとする。したがって、実施形態の上の説明は、本開示を制約しない。他の変更、置き換え、および修正が、以下の請求項によって規定されるような本開示の趣旨および範囲から逸脱することなく可能である。
【００９８】
先の説明に使用される略語は、以下を含む。
３ＧＰＰ  第３世代パートナーシッププロジェクト
ＡＰ  アクセスポイント
ＡＭＭ  アクティブモードモビリティ
ＢＳ  基地局
ＢＳＣ  基地局コントローラ
ＢＴＳ  ベーストランシーバ基地局
ＣＤＭ  符号分割多重
ＣＩＯ  セル個別オフセット
ＣＰＥ  顧客宅内機器
ＣＲＳ  セル特有参照信号
ＣＳＩ  チャネル状態情報
ＣＳＩ−ＲＳ  チャネル状態情報参照信号
Ｄ２Ｄ  デバイスツーデバイス
ＤＡＳ  分散型アンテナシステム
ＤＣＩ  ダウンリンク制御情報
ＤＦＴ  離散フーリエ変換
ＤＬ  ダウンリンク
ＤＭＲＳ  復調用参照信号
ｅＮＢ  エボルブドノードＢ
ＦＤＤ  周波数分割複信
ＨＯ  ハンドオーバ
ＬＡＮ  ローカルエリアネットワーク
ＬＥＥ  ラップトップ埋込型機器
ＬＭＥ  ラップトップ搭載型機器
ＬＯＳ  照準線
ＬＴＥ  Ｌｏｎｇ  Ｔｅｒｍ  Ｅｖｏｌｕｔｉｏｎ
Ｍ２Ｍ  マシンツーマシン
ＭＡＮ  メトロポリタンエリアネットワーク
ＭＣＥ  マルチセル／マルチキャスト協調エンティティ
ＭＣＳ  変調レベルおよび符号化方式
ＭＲＳ  モビリティ参照信号
ＭＳＲ  マルチスタンダード無線
ＮＡＳ  非アクセスストレータム
ＮＲ  Ｎｅｗ  Ｒａｄｉｏ
ＯＦＤＭ  直交周波数分割多重
ＰＤＣＣＨ  物理ダウンリンク制御チャネル
ＰＤＳＣＨ  物理ダウンリンク共有チャネル
ＰＲＡＣＨ  物理ランダムアクセスチャネル
ＰＳＴＮ  公衆交換電話網
ＰＵＳＣＨ  物理アップリンク共有チャネル
ＰＵＣＣＨ  物理アップリンク制御チャネル
ＲＢ  リソースブロック
ＲＢＳ  無線基地局
ＲＩ  ランクインジケータ
ＲＮＣ  無線ネットワークコントローラ
ＲＲＣ  無線リソース制御
ＲＲＨ  リモート無線ヘッド
ＲＲＵ  リモートラジオユニット
ＴＤＤ  時間分割複信
ＴＦＲＥ  時間周波数リソースエレメント
ＴＭ  送信モード
ＴＲ  送信リソース
ＴＴＩ  送信時間間隔
ＴＴＴ  トリガ時間
ＵＣＩ  アップリンク制御情報
ＵＥ  ユーザ機器
ＵＬ  アップリンク
ＷＡＮ  広域ネットワーク
【図１】
0006828156.tif 000002
【図２】
0006828156.tif 000003
【図３】
0006828156.tif 000004
【図４】
0006828156.tif 000005
【図５】
0006828156.tif 000006
【図６】
0006828156.tif 000007
【図７】
0006828156.tif 000008
【図８】
0006828156.tif 000009
【図９】
0006828156.tif 000010
【図１０】
0006828156.tif 000011
【図１１】
0006828156.tif 000012
【図１２】
0006828156.tif 000013
【図１３】
0006828156.tif 000014
【図１４】
0006828156.tif 000015
【図１５】
0006828156.tif 000016
【図１６】
0006828156.tif 000017